(57)【特許請求の範囲】
【請求項１】
壁面に沿って配設される、少なくとも、大径の第１の管材と、小径の第２の管材と、それら第１および第２の管材を互いに連結する異種管継手とからなる配管材の配管構造であって、
前記第１の管材を収容して保護する第１の保護カバーと、前記第２の管材を収容して保護する第２の保護カバーと、前記異種管継手を収容して保護する継手保護カバーと、前記第２の保護カバーと前記壁面との間に配備される保護カバー用スペーサーと、を備え、
前記保護カバー用スペーサーは、その高さが、前記第１の保護カバーの底面とその第１の保護カバーに収容される前記第１の管材の軸心との距離と、前記第２の保護カバーの底面とその第２の保護カバーに収容される前記第２の管材の軸心との距離と、の差とほぼ同一となっている配管構造。
【請求項２】
請求項１に記載の配管構造であって、前記保護カバー用スペーサーは、前記第２の保護カバーのほぼ全長に渡って設けられてなる、配管構造。
【請求項３】
壁面に沿って配設される、少なくとも、大径の第１の管材と、小径の第２の管材と、それら第１および第２の管材を互いに連結する異種管継手とからなる配管材の配管構造に用いられる、保護カバー用スペーサーであって、
前記配管構造は、前記第１の管材を収容して保護する第１の保護カバーと、前記第２の管材を収容して保護する第２の保護カバーと、前記異種管継手を収容して保護する継手保護カバーと、を備え、
前記保護カバー用スペーサーは、その高さが、前記第１の保護カバーの底面とその第１の保護カバーに収容される前記第１の管材の軸心との距離と、前記第２の保護カバーの底面とその第２の保護カバーに収容される前記第２の管材の軸心との距離と、の差とほぼ同一となって、前記第２の保護カバーと前記壁面との間に配備される、配管材の保護カバー用スペーサー。
【請求項４】
請求項３に記載の保護カバー用スペーサーであって、前記第２の保護カバーのほぼ全長に渡って設けられる、配管材の保護カバー用スペーサー。
【請求項５】
壁面に沿って配設される、少なくとも、大径の第１の管材と、小径の第２の管材と、それら第１および第２の管材を互いに連結する異種管継手とからなる配管材の配管構造に用いられる、前記異種管継手を収容して保護する継手保護カバーであって、
前記配管構造は、前記第１の管材を収容して保護する第１の保護カバーと、前記第２の管材を収容して保護する第２の保護カバーと、前記第２の保護カバーと前記壁面との間に配備される保護カバー用スペーサーと、を備え、前記保護カバー用スペーサーは、その高さが、前記第１の保護カバーの底面とその第１の保護カバーに収容される前記第１の管材の軸心との距離と、前記第２の保護カバーの底面とその第２の保護カバーに収容される前記第２の管材の軸心との距離と、の差とほぼ同一となっており、
前記継手保護カバーは、一方の接続口が、前記第１の保護カバーに被るように配備され、他方の接続口が、前記第２の保護カバーおよび前記保護カバー用スペーサーに被るように配備される、継手保護カバー。
【発明の詳細な説明】
【０００１】
【発明の属する技術分野】
この発明は、配管材の保護カバーを、壁面に確実に固定するための、配管構造、配管材の保護カバー用スペーサー、および継手保護カバーに関するものである。
【０００２】
【従来の技術および発明が解決しようとする課題】
従来、例えば、リフォームの際に室内の壁面２１に沿って配設される、配線・配管材としての給水管２２は、図１０に示すように、保護カバー２３に収容されて保護されていた。かかる保護カバー２３は、その基台２３ａを壁面２１に、ビス、アンカー等（図１０においては、木ネジＭ）により固定されるものであった。
【０００３】
しかしながら、壁面２１に、わずかな段差部や突部があると、それら段差部や突部によって形成される段差により、保護カバー２３と壁面２１との間に隙間が生じて、美観を損なっていた。さらに、壁面２１の段差のために、保護カバー２３が変形した状態で壁面２１に固定されて、その保護カバー２３内に給水管２２が収容できなかったり、また、段差の大きさによっては、保護カバー２３を壁面２１に固定することができない場合もあった。
【０００４】
また、給水管２２の分岐配管部等においては、例えば、主流路側の大径の管材と、分岐路側の小径の管材とを連結する異種管継手が使用された。かかる継手は、流量損失を極力減らすように、主流路側の管材が接続される大径の受口の軸心と、分岐路側の管材が接続される小径の受口の軸心とが、壁面２１からほぼ同じ高さとなるように形成されていた。このため、この小径の受口に接続される分岐路側の管材は、この分岐路側の管材が単独で配設される場合よりも、壁面２１から離れて配設された。その結果、壁面２１と、分岐路側の管材を収容して保護する保護カバーとの間に隙間が形成されて、上記の壁面２１に段差部や突部がある場合と同様の問題が生じた。
【０００５】
この発明は、上述した従来の欠点を解決するためになされたものであり、その目的とするところは、配管材の保護カバーを、その変形を防ぐことで、壁面に確実に固定することのできる、配管構造、配管材の保護カバー用スペーサー、および継手保護カバーを提供することにある。
【０００６】
【課題を解決するための手段】
この発明に係る配管構造、配管材の保護カバー用スペーサー、および継手保護カバーは、前記目的を達成するために、次の構成からなる。すなわち、
【０００７】
【０００８】
【０００９】
【００１０】
【００１１】
請求項１に記載の発明に係る配管構造は、壁面に沿って配設される、少なくとも、大径の第１の管材と、小径の第２の管材と、それら第１および第２の管材を互いに連結する異種管継手とからなる配管材の配管構造である。そして、この配管構造は、前記第１の管材を収容して保護する第１の保護カバーと、前記第２の管材を収容して保護する第２の保護カバーと、前記異種管継手を収容して保護する継手保護カバーと、前記第２の保護カバーと前記壁面との間に配備される保護カバー用スペーサーと、を備える。ここで、前記保護カバー用スペーサーは、その高さが、前記第１の保護カバーの底面とその第１の保護カバーに収容される前記第１の管材の軸心との距離と、前記第２の保護カバーの底面とその第２の保護カバーに収容される前記第２の管材の軸心との距離と、の差とほぼ同一となっている。これにより、保護カバー用スペーサーが、壁面と第２の保護カバーとの間の隙間を塞ぐように作用する。
また、請求項２に記載の発明に係る配管構造のように、前記保護カバー用スペーサーは、前記第２の保護カバーのほぼ全長に渡って設けられるのが望ましい。
【００１２】
また、請求項３に記載の発明に係る配管材の保護カバー用スペーサーは、壁面に沿って配設される、少なくとも、大径の第１の管材と、小径の第２の管材と、それら第１および第２の管材を互いに連結する異種管継手とからなる配管材の配管構造に用いられる、保護カバー用スペーサーである。前記配管構造は、前記第１の管材を収容して保護する第１の保護カバーと、前記第２の管材を収容して保護する第２の保護カバーと、前記異種管継手を収容して保護する継手保護カバーと、を備える。ここで、前記保護カバー用スペーサーは、その高さが、前記第１の保護カバーの底面とその第１の保護カバーに収容される前記第１の管材の軸心との距離と、前記第２の保護カバーの底面とその第２の保護カバーに収容される前記第２の管材の軸心との距離と、の差とほぼ同一となって、前記第２の保護カバーと前記壁面との間に配備される。これにより、保護カバー用スペーサーが、壁面と第２の保護カバーとの間の隙間を塞ぐように作用する。
また、請求項４に記載の発明に係る配管材の保護カバー用スペーサーのように、その保護カバー用スペーサーは、前記第２の保護カバーのほぼ全長に渡って設けられるのが望ましい。
また、請求項５に記載の発明に係る継手保護カバーは、壁面に沿って配設される、少なくとも、大径の第１の管材と、小径の第２の管材と、それら第１および第２の管材を互いに連結する異種管継手とからなる配管材の配管構造に用いられる、前記異種管継手を収容して保護する継手保護カバーである。前記配管構造は、前記第１の管材を収容して保護する第１の保護カバーと、前記第２の管材を収容して保護する第２の保護カバーと、前記第２の保護カバーと前記壁面との間に配備される保護カバー用スペーサーと、を備える。この保護カバー用スペーサーは、その高さが、前記第１の保護カバーの底面とその第１の保護カバーに収容される前記第１の管材の軸心との距離と、前記第２の保護カバーの底面とその第２の保護カバーに収容される前記第２の管材の軸心との距離と、の差とほぼ同一となっている。ここで、前記継手保護カバーは、一方の接続口が、前記第１の保護カバーに被るように配備され、他方の接続口が、前記第２の保護カバーおよび前記保護カバー用スペーサーに被るように配備される。これにより、保護カバー用スペーサーが、壁面と第２の保護カバーとの間の隙間を塞ぐように作用する。
【００１３】
【発明の実施の形態】
以下、この発明に係る配管構造、配管材の保護カバー用スペーサー、および継手保護カバーの実施の形態を図面に基づいて説明する。
【００１４】
図１ないし図５は、本発明を、段差を有する壁面に沿って配設される給水管の配管構造に適用した第一の実施の形態を示す。図中符号１は、例えば、台所の流し台回りの壁面である。２は、壁面に沿って配設される配線・配管材としての給水管であり、直線状に延びる管材２ａとその管材２ａに接続されるエルボー２ｂとから構成される。３は、直線状に延びて、管材２ａを収容して保護する保護カバーとしての本体カバーである。同様に、４は、前記本体カバー３に接続されて、エルボー２ｂを収容して保護する保護カバーとしての付属カバー４である。５は、壁面１と本体カバー３との間に形成される隙間Ｓ１を塞ぐように配備される、本体カバー用スペーサーである。同様に、６は、壁面１と付属カバー４との間に形成される隙間Ｓ１を塞ぐように配備される、付属カバー用スペーサーである。こうして、これら給水管２、本体カバー３、付属カバー４、本体カバー用スペーサー５および付属カバー用スペーサー６が、配線・配管構造としての、給水管２の配管構造７を構成している。
【００１５】
ここで、壁面１は、第１の平面部１ａと、その第１の平面部１ａから若干下がった第２の平面部１ｂとからなり、その結果、壁面１には、第１の平面部１ａと第２の平面部１ｂとによる、段差Ｄ１が形成される。
【００１６】
給水管２は、管材２ａとエルボー２ｂとがそれらの一方端で接続されている。そして、エルボー２ｂの他方端には、管材２ａおよびエルボー２ｂを通って供給される水を吐出するための、水栓設備８が接続されている。
【００１７】
本体カバー３は、図２に示すように、壁面１に固定される基台３ａと、その基台３ａに嵌着される蓋体３ｂとから構成されており、それら基台３ａおよび蓋体３ｂは、それぞれ、例えば、合成樹脂を押出成形して得られる。基台３ａは、底板部３ｃと、その底板部３ｃから上方に延びて、管材２ａを両側から抱え込むようにして挟む、一対の側板部３ｄ、３ｄとからなる。そして、底板部３ｃの底面３ｅには、中央に凹溝３ｆが長手方向に連続して設けられており、また、それぞれの側板部３ｄの基端部には、外側に開口する係合凹部３ｇが、長手方向に連続して設けられている。一方、蓋体３ｂは、管材２ａを覆うように、断面略コの字形状に形成されている。そして、蓋体３ｂの両端部分には、それぞれ内側に向かって突出する係合凸部３ｈが、長手方向に連続して設けられており、この係合凸部３ｈと前記基台３ａの係合凹部３ｇとが互いに係合することで、基台３ａに蓋体３ｂが嵌着される構造となっている。さらに、蓋体３ｂの内側面には、シート状の断熱材３ｉが、接着等によって取り付けられている。
【００１８】
付属カバー４は、図３に示すように、本体カバー３と同様に、壁面１に固定される基台４ａと、その基台４ａに嵌着される蓋体４ｂとから構成されている。基台４ａは、その上面側に、上方に突出して中央が半円形の溝状に窪んだ、載置部４ｃを備えており、その載置部４ｃに、エルボー２ｂが載せられるようになっている。そして、基台４ａの底面側には、載置部４ｃの裏側に相当する位置に、凹部４ｄが設けられている。また、蓋体４ｂは、エルボー２ｂを覆うように形成されており、本体カバー３との接続部分は、その本体カバー３に被るように、断面略コの字形状に形成されている。また、蓋体４ｂの上面は、水栓設備８のつば部８ａが載る座面４ｅとなっており、その座面４ｅには、エルボー２ｂが貫通する孔４ｆが設けられている。
【００１９】
本体カバー用スペーサー５は、例えば、合成樹脂を押出成形して得られるものであり、その押出方向である長手方向に板状に延びている。そして、この本体カバー用スペーサー５は、上面側には、両側に、若干下がった凹条部５ａ、５ａが、長手方向に連続して設けられており、また、底面側には、中央に、凹溝５ｂが長手方向に連続して設けられており、その結果、両側は、下方に向かって突出して長手方向に連続する凸条部５ｃ、５ｃとなっている。さらに、本体カバー用スペーサー５の上面側には、中央に、断面Ｖ字状のセンター溝５ｄが、長手方向に連続して設けられており、この本体カバー用スペーサー５を壁面１の墨だし線に沿って固定する際の、基準となっている。また、この本体カバー用スペーサー５は、その高さが、壁面１の段差Ｄ１とほぼ同一であり、壁面１の第２の平面部１ｂに載せられて、段差Ｄ１を埋めることで、壁面１と本体カバー３との間に形成される隙間Ｓ１を塞いでいる。
【００２０】
付属カバー用スペーサー６は、例えば、合成樹脂材料からなり、板状に形成されている。そして、この付属カバー用スペーサー６は、上面側に、付属カバー４の凹部４ｄと係合する、付属カバー４との位置決め手段としての一対の凸部６ａ、６ａを備えている。そして、付属カバー用スペーサーの底面側には、凸部６ａ、６ａの裏側に相当する位置に、凹部６ｂが設けられている。さらに、付属カバー用スペーサー６の上面側には、本体カバー用スペーサー５と同様に、中央に、断面Ｖ字状のセンター溝６ｃが設けられており、この付属カバー用スペーサー６を壁面１の墨だし線に沿って固定する際の、基準となっている。そして、この付属カバー用スペーサー６もまた、その高さは、壁面１の段差Ｄ１とほぼ同一であり、壁面１の第２の平面部１ｂに載せられて、段差Ｄ１を埋めることで、壁面１と付属カバー４との間に形成される隙間Ｓ１を塞いでいる。
【００２１】
これら、本体カバー用スぺーサー５および付属カバー用スペーサー６は、それぞれ、積み重ね可能に形成されており、本体カバー用スペーサー５においては、図４に示すように、積み重ねた際に、下側のスペーサー５の凹条部５ａ、５ａと、上側のスペーサー５の凸条部５ｃ、５ｃとが係合して、位置決めされることで、互いにずれないようになっている。同様に、付属カバー用スペーサー６においても、図５に示すように、積み重ねた際に、下側のスペーサー６の凸部６ａ、６ａと、上側のスペーサー６の凹部６ｂとが係合して、位置決めされることで、互いにずれないようになっている。
【００２２】
なお、本体カバー用スペーサー５は、本体カバー３の基台３ａとともに、木ネジ等の固定手段Ｋ１により、壁面１に固定される。そして、付属カバー用スペーサー６もまた、付属カバー４の基台４ａとともに、木ネジ等の固定手段（図示せず）により、壁面１に固定される。
【００２３】
次に、以上の構成からなる配管構造７の作用効果について説明する。この配管構造７においては、壁面１に段差Ｄ１が形成されていても、本体カバー用スペーサー５および付属カバー用スペーサー６で、壁面１の段差Ｄ１を埋めることで、壁面１と本体カバー３および付属カバー４との間に形成される隙間Ｓ１が塞がれる。したがって、この本体カバー用スペーサー５および付属カバー用スペーサー６がない場合には、壁面１と本体カバー３および付属カバー４との間の隙間Ｓ１によって、本体カバー３および付属カバー４が変形して壁面１に固定されるところ、この本体カバー用スペーサー５および付属カバー用スペーサー６によって、本体カバー３および付属カバー４を、その変形を防ぐことで、壁面１に確実に固定することができる。
【００２４】
また、付属カバー用スペーサー６は、付属カバー４の凹部４ｄと係合する凸部６ａを備えており、付属カバー用スペーサー６と付属カバー４とは位置決めされるので、この付属カバー用スペーサー６に付属カバー４を、位置ずれすることなく載せることができる。
【００２５】
また、本体カバー用スペーサー５や付属カバー用スペーサー６は、積み重ね可能に形成されているので、壁面１と本体カバー３および付属カバー４との間の隙間Ｓ１の高さに応じて、つまりは、壁面１の段差Ｄ１に応じて、適宜、複数枚の本体カバー用スペーサー５、５や付属カバー用スペーサー６、６をそれぞれ積み重ねて使用することができる。
【００２６】
図６ないし図９は、本発明を、異種管継手を含む給水管の配管構造に適用した第二の実施の形態を示す。図中符号１１は、例えば、台所の流し台回りの壁面である。１２は、壁面１１に沿って配設される配管材としての給水管であり、大径の第１の管材１２ａ、１２ａと、小径の第２の管材１２ｂと、それら第１および第２の管材１２ａ、１２ａ、１２ｂを互いに連結する異種管継手１２ｃとから構成される。１３は、第１の管材１２ａを収容して保護する第１の保護カバーである。１４は、第２の管材１２ｂを収容して保護する第２の保護カバーである。１５は、異種管継手１２ｃを収容して保護する継手保護カバーであり、この継手保護カバー１５に、前記第１の保護カバー１３および前記第２の保護カバー１４が接続される。１６は、第２の保護カバー１４と壁面１１との間に配備される保護カバー用スペーサーである。こうして、これら給水管１２、第１の保護カバー１３、１３、第２の保護カバー１４、継手保護カバー１５および保護カバー用スペーサー１６が、給水管１２の配管構造１７を構成している。
【００２７】
ここで、給水管１２においては、主流路側となる第１の管材１２ａ、１２ａに対して、分岐路側となる第２の管材１２ｂが直角となるように配置されて、Ｔ字形状の異種管継手１２ｃが、それら第１の管材１２ａ、１２ａおよび第２の管材１２ｂを互いに連結している（図６参照）。このとき、異種管継手１２ｃは、流量損失を極力減らすように、第１の管材１２ａ、１２ａが接続される大径の受口１２ｄ、１２ｄの軸心と、第２の管材１２ｂが接続される小径の受口１２ｅの軸心とが、ほぼ同一平面内に在るように形成されている。その結果、第１の管材１２ａ、１２ａの軸心と、第２の管材１２ｂの軸心は、壁面１からほぼ同じ高さとなっている。
【００２８】
第１の保護カバー１３は、第一の実施の形態に示す本体カバー３と同様の構造であり、壁面１１に固定される基台１３ａとその基台１３ａに嵌着される蓋体１３ｂとから構成されている。第２の保護カバー１４もまた、第一の実施の形態に示す本体カバー３と同様の構造であり、壁面１１に固定される基台１４ａとその基台１４ａに嵌着される蓋体１４ｂとから構成されているが、収容される第２の管材１２ｂが第１の管材１２ａに比して小径なため、断面形状は、第１の保護カバー１３よりも、全体的に、小さくなっている。
【００２９】
継手保護カバー１５は、第一の実施の形態に示す付属カバー４と同様に、壁面１１に固定される基台１５ａと、その基台１５ａに嵌着される蓋体１５ｂとから構成されており、それら基台１５ａおよび蓋体１５ｂは、異種管継手１２ｃを収容するように、異種管継手１２ｃの形状に合わせて、Ｔ字形状に形成されている（図６参照）。そして、継手保護カバー１５の底面１５ｃは、第１の保護カバー１３の底面１３ｃとほぼ面一となっており、また、第２の保護カバー１４の底面１４ｃとは、その底面１４ｃが上側となるように、段差Ｄ２が形成されている（図７参照）。
【００３０】
保護カバー用スペーサー１６は、第一の実施の形態に示す本体カバー用スペーサー５と同様の構造であり、上面側には、両側に凹条部１６ａ、１６ａが、中央に断面Ｖ字状のセンター溝１６ｄが、また、底面側には、中央に凹溝１６ｂが、両側に凸条部１６ｃ、１６ｃが、長手方向に連続して設けられている。この保護カバー用スペーサー１６は、その高さが、第２の保護カバー１４の底面１４ｃと継手保護カバー１５の底面１５ｃとの段差Ｄ２とほぼ同一であり、その段差Ｄ２を埋めるように、第２の保護カバー１４と壁面１１との間に配備されて、壁面１１と第２の保護カバー１４との間に形成される隙間Ｓ２を塞いでいる。また、この保護カバー用スぺーサー１６は、第一の実施の形態に示す本体カバー用スペーサー５と同様に、積み重ね可能に形成されており、積み重ねた際には、下側のスペーサー１６の凹条部１６ａ、１６ａと、上側のスペーサー１６の凸条部１６ｃ、１６ｃとが係合して、位置決めされることで、互いにずれないようになっている。
【００３１】
なお、第１の保護カバー１３は、その基台１３ａが、木ネジ等の固定手段Ｋ２により、壁面１１に固定され、同様に、継手保護カバー１５は、その基台１５ａが、木ネジ等の固定手段Ｋ３により、壁面１１に固定される。また、保護カバー用スペーサー１６は、第２の保護カバー１４の基台１４ａとともに、木ネジ等の固定手段Ｋ４により、壁面１１に固定される。
【００３２】
次に、以上の構成からなる配管構造１７の作用効果について説明する。この配管構造１７においては、第２の保護カバー１４の底面１４ｃと継手保護カバー１５の底面１５ｃとの段差Ｄ２によって、壁面１１と第２の保護カバー１４との間に隙間Ｓ２が形成されても、段差Ｄ２を埋める保護カバー用スペーサー１６によって、前記隙間Ｓ２が塞がれる。したがって、この保護カバー用スペーサー１６がない場合には、異種管継手１２ｃによる壁面１１と第２の保護カバー１４との間の隙間Ｓ２によって、第２の保護カバー１４が変形して壁面１１に固定されるところ、この保護カバー用スペーサー１６によって、第２の保護カバー１４を、その変形を防ぐことで、壁面１１に確実に固定することができる。
【００３３】
また、保護カバー用スペーサー１６は、積み重ね可能に形成されているので、壁面１１と第２の保護カバー１４との間の隙間Ｓ２の高さに応じて、つまりは、第２の保護カバー１４の底面１４ｃと継手保護カバー１５の底面１５ｃとの段差Ｄ２に応じて、適宜、複数枚の保護カバー用スペーサー１６、１６を積み重ねて使用することができる。
【００３４】
なお、本発明は、上述した実施の形態に限定されるわけではなく、その他種々の変更が可能である。例えば、第一の実施の形態における配管構造７は、給水管２だけでなく、給湯管、ガス管その他の管材の配管構造に適用してもよく、さらには、管材だけでなく、電力線、信号線等の線材の配線構造に適用してもよい。同様にして、第二の実施の形態における配管構造１７は、給水管１２だけでなく、給湯管、ガス管その他の管材の配管構造に適用してもよい。
【００３５】
また、第一の実施の形態における配管構造７は、給水管２、本体カバー３、付属カバー４、本体カバー用スペーサー５および付属カバー用スペーサー６から構成されているが、その他、給水管２、本体カバー３および本体カバー用スペーサー５から構成されてもよく、また、給水管２、付属カバー４および付属カバー用スペーサー６から構成されてもよい。また、付属カバー４は、エルボー２ｂを収容して保護するものでなくとも、管材２ａに接続されるチーズその他の管継手を収容して保護するものであってもよい。
【００３６】
また、第一の実施の形態においては、本発明を、第１の平面部１ａと第２の平面部１ｂとからなる壁面１の段差Ｄ１に適用したが、例えば、壁面の一部に突部が形成されている場合には、突部と、その突部の両側との段差に適用してもよい。
【００３７】
また、第一の実施の形態において、本体カバーに凹部または突部を設け、本体カバー用スペーサー５に、本体カバー３の凹部または凸部と係合する、凸部または凹部を設ける等により、本体カバー用スペーサー５が、本体カバー３との位置決め手段を備えるものであってもよい。同様にして、第二の実施の形態においても、保護カバー用スペーサー１６は、第２の保護カバー１４との位置決め手段を備えるものであってもよい。
【００３８】
また、第二の実施の形態において、異種管継手１２ｃは、径の異なる管材を連結するものであれば、Ｔ字形状でなくとも、Ｌ字、Ｉ字その他の形状であってもよい。
【００３９】
また、第二の実施の形態において、第２の保護カバー１４は、第一の実施の形態に示す保護カバーとしての、本体カバー３と付属カバー４のように、継手保護カバー１５に接続される直線状の本体カバーと、その本体カバーに接続される付属カバーとから構成されるものであってもよい。この場合、保護カバー用スペーサー１６は、第一の実施の形態と同様にして、前記本体カバーと壁面１１との間に配備されて段差Ｄ２を埋める本体カバー用スペーサーと、前記付属カバーと壁面１１との間に配備されて段差Ｄ２を埋める付属カバー用スペーサーとから構成されることとなる。こうして、第２の保護カバー１４が、本体カバーと付属カバーとから構成されるものであっても、段差Ｄ２を埋めるように、本体カバー用スペーサーと付属カバー用スペーサーとを配備することで、段差Ｄ２によって壁面１１と本体カバーおよび付属カバーとの間に形成される隙間Ｓ２を塞ぐことができる。
【００４０】
また、第二の実施の形態において、壁面１１に段差が形成されている場合には、第一の実施の形態と同様にして、保護カバー用スペーサー１６とは別のスペーサーを、段差の位置に応じて、第１の保護カバー１３、第２の保護カバー１４および継手保護カバー１５の内の適宜保護カバーと壁面１１との間に配備するようにして前記段差を埋めてもよい。
【００４１】
【発明の効果】
以上、詳述したところから明らかなように、この発明に係る配管構造、配管材の保護カバー用スペーサー、および継手保護カバーによれば、次の効果がある。
【００４２】
【００４３】
【００４４】
【００４５】
【００４６】
【００４７】
請求項１および２に記載された配管構造、請求項３および４に記載された配管材の保護カバー用スペーサー、並びに、請求項５に記載された継手保護カバーによれば、保護カバー用スペーサーが、壁面と第２の保護カバーとの間の隙間を塞ぐことで、第２の保護カバーの変形を防ぐことができ、その保護カバーを壁面に確実に固定することができる。
【図面の簡単な説明】
【図１】この発明の第一の実施の形態の、正面図である。
【図２】図１における、Ａ−Ａ線による断面図である。
【図３】図１における、Ｂ−Ｂ線による断面図である。
【図４】本体カバー用スペーサーを積み重ねた状態を示す拡大断面図である。
【図５】付属カバー用スペーサーを積み重ねた状態を示す拡大断面図である。
【図６】この発明の第二の実施の形態の、平面図である。
【図７】図６における、Ｃ−Ｃ線による断面図である。
【図８】図７における、Ｄ−Ｄ線による断面図である。
【図９】図７における、Ｅ−Ｅ線による断面図である。
【図１０】従来の配管構造を示す断面図である。
【符号の説明】
１１  壁面                        １２  給水管（配管材）
１２ａ  第１の管材                １２ｂ  第２の管材
１２ｃ  異種管継手
１３  第１の保護カバー            １３ｃ  底面
１４  第２の保護カバー            １４ｃ  底面
１５  継手保護カバー
１６  保護カバー用スペーサー      １７  配管構造
【図１】
0003600011.tif 000002
【図２】
0003600011.tif 000003
【図３】
0003600011.tif 000004
【図４】
0003600011.tif 000005
【図５】
0003600011.tif 000006
【図６】
0003600011.tif 000007
【図７】
0003600011.tif 000008
【図８】
0003600011.tif 000009
【図９】
0003600011.tif 000010
【図１０】
0003600011.tif 000011